(57)【要約】      （修正有）【課題】電磁波を反射するリフレクタであって、安全性を高めたリフレクタを提供する。【解決手段】衣類１００において、リフレクタ１は、人間又は動物が着用又は携行する物品に備えられる。リフレクタ１には、電磁波を反射する反射板によって構成される反射ユニット３０が少なくとも１つ配置される。反射ユニット３０は、コーナーキューブに基づく形状にする。【選択図】図６
2020022122.tif 000002
【特許請求の範囲】
【請求項１】
人間又は動物が着用又は携行する物品に備えられるリフレクタであって、
電磁波を反射する反射板によって構成される反射ユニットが少なくとも１つ配置され、前記反射ユニットはコーナーキューブに基づく形状にした、リフレクタ。
【請求項２】
前記反射ユニットは、前記コーナーキューブの頂点部分の少なくとも１つが尖端を有さない形状である、請求項１に記載のリフレクタ。
【請求項３】
前記反射ユニットは、前記コーナーキューブにおいて３つの直角が互いに組み合わされた頂点部分が尖端を有さない形状である、請求項２に記載のリフレクタ。
【請求項４】
前記反射ユニットは、前記尖端を有さない形状部分において前記反射板が形成されない、請求項２又は３に記載のリフレクタ。
【請求項５】
前記反射ユニットは、前記尖端を有さない頂点部分において弾性部材が配される、請求項２から４のいずれかに記載のリフレクタ。
【請求項６】
前記反射ユニットにおいて、前記尖端を有さない頂点部分は曲面状又は曲線状に形成される、請求項２から５のいずれかに記載のリフレクタ。
【請求項７】
前記反射ユニットは、電磁波を反射する直角三角形状の反射板が３つ互いに直角に組み合わされたコーナーキューブに基づく形状である、請求項１から６のいずれかに記載のリフレクタ。
【請求項８】
前記反射ユニットを複数配置した、請求項１から７のいずれかに記載のリフレクタ。
【請求項９】
人間又は動物が着用する衣類、レインウェア、アクセサリ、リストバンド、時計、帽子、手袋、ソックス、マフラー、スカーフ、ベルト、サスペンダー、バッジ、名札、ステッカー、及び履物の少なくともいずれかに備えられる、請求項１から８いずれかに記載のリフレクタ。
【請求項１０】
人間が携行するバッグ、カバン、ランドセル、傘、日傘、ベビーカー、ウェアラブルデバイス、携帯電話、スマートフォン、タブレット端末、携帯ゲーム端末、音楽プレーヤ、及びＩＣレコーダの少なくともいずれかに備えられる、請求項１から８のいずれかに記載のリフレクタ。
【請求項１１】
前記反射板によって受信された電磁波が所定の電磁波である場合に、所定の警告を報知するための所定の信号を出力する制御部に接続される、請求項１から１０に記載のリフレクタ。
【発明の詳細な説明】
【技術分野】
【０００１】
本開示は、リフレクタに関する。
【背景技術】
【０００２】
例えば自動車に関連する産業などの分野において、自車両と対象物との間の距離などを測定する技術が重要視されている。特に、近年、例えばミリ波のような電波を送信し、障害物などの対象物に反射した反射波を受信することで、対象物との間の距離などを測定する車載レーダ（RADAR（Radio Detecting and Ranging））の技術が、種々研究されている。このような距離などを測定する技術の重要性は、運転者の運転をアシストする技術、及び、運転の一部又は全部を自動化する自動運転に関連する技術の発展に伴い、今後ますます高まると予想される。また、このような車載レーダを装備した自動車の周囲に存在する対象物が、レーダによって検出され易くするための技術も提案されている。例えば特許文献１は、車載レーダに検知され易いレーダ反射体を開示している。
【先行技術文献】
【特許文献】
【０００３】
【特許文献１】特開２００７−１２９４２０号公報
【発明の概要】
【発明が解決しようとする課題】
【０００４】
上述のようなレーダによって検出され易くする技術は、例えば自動車のようにレーダを装備して検出する立場にとっては、事故防止等の観点から大きな利益を期待できる。また、上述のような技術は、例えば歩行者のようにレーダによって検出される立場にとっても、安全性等の観点から大きな利益を期待できる。このような技術を人間又は動物の安全な着用又は携行に適用することができれば、当該人間又は動物の安全性をさらに高めることができる。
【０００５】
本開示の目的は、電磁波を反射するリフレクタであって、安全性を高めたものを提供することにある。
【課題を解決するための手段】
【０００６】
一実施形態に係るリフレクタは、人間又は動物が着用又は携行する物品に備えられる。
前記リフレクタには、電磁波を反射する反射板によって構成される反射ユニットが少なくとも１つ配置される。
前記反射ユニットは、をコーナーキューブに基づく形状にする。
【発明の効果】
【０００７】
一実施形態によれば、電磁波を反射するリフレクタであって、安全性を高めたものを提供することができる。
【図面の簡単な説明】
【０００８】
【図１】一実施形態に係る反射ユニットの基になるコーナーキューブを構成する反射板を示す図である。
【図２】一実施形態に係る反射ユニットの基になるコーナーキューブの構成を示す図である。
【図３】一実施形態に係る反射ユニットの構成例を示す図である。
【図４】一実施形態に係る反射ユニットの他の構成例を示す図である。
【図５】一実施形態に係る反射ユニットの他の構成例を示す図である。
【図６】一実施形態に係るリフレクタが備えられる例を示す図である。
【図７】一実施形態に係るリフレクタが備えられる他の例を示す図である。
【図８】一実施形態に係るリフレクタが備えられる他の例を示す図である。
【図９】一実施形態に係るリフレクタが備えられる他の例を示す図である。
【図１０】一実施形態に係るリフレクタが備えられる他の例を示す図である。
【図１１】一実施形態に係るリフレクタが備えられる他の例を示す図である。
【図１２】一実施形態に係るリフレクタの構成を概略的に示す機能ブロック図である。
【図１３】一実施形態に係るリフレクタの動作を説明するフローチャートである。
【発明を実施するための形態】
【０００９】
以下、一実施形態について、図面を参照して詳細に説明する。
【００１０】
一実施形態に係るリフレクタは、例えば自動車のような乗り物に搭載された車載レーダなどから送信される送信波（電磁波）を反射する。車載レーダから送信された送信波は、一実施形態に係るリフレクタによって反射されると、反射波になる。そして、車載レーダは、この反射波を受信することで、リフレクタの位置に何らかの物体が存在することを検出することができる。
【００１１】
以下、典型的な例として、一実施形態に係るリフレクタが、乗用車のような自動車に搭載される車載レーダから送信された電磁波（送信波）を反射する構成について説明する。しかしながら、一実施形態に係るリフレクタが反射する送信波は、自動車のような乗り物に搭載された車載レーダから送信されたものに限定されない。一実施形態に係るリフレクタは、オートバイ、自転車、船、飛行機、及び歩行者など、種々の移動体に搭載されたレーダから送信された送信波を反射してもよい。
【００１２】
また、以下、典型的な例として、一実施形態に係るリフレクタは、ミリ波レーダから送信される例えば７７ＧＨｚ〜８１ＧＨｚのような周波数の送信波を反射する例について説明する。しかしながら、一実施形態に係るリフレクタが反射するのは、上述のような周波数のミリ波レーダから送信される送信波には限定されない。一実施形態に係るリフレクタは、例えば３０ＧＨｚ以上の周波数のミリ波、又は例えば２０ＧＨｚ〜３０ＧＨｚ付近のいわゆる準ミリ波などのような周波数帯の電波を反射してもよい。さらに、一実施形態に係るリフレクタが反射するのは、ミリ波レーダから送信される電波にも限定されず、任意の周波数の電磁波としてもよい。
【００１３】
図１は、一実施形態に係るリフレクタに配置される反射ユニットの基になるコーナーキューブを構成する反射板を示す図である。図１は、一実施形態に係る反射ユニットの基になるコーナーキューブが構成される前の状態の反射板を示している。
【００１４】
図１に示すように、一実施形態に係るコーナーキューブ２０は、反射板１０Ａ、反射板１０Ｂ、及び反射板１０Ｃを含んで構成される。以下、反射板１０Ａ、反射板１０Ｂ、及び反射板１０Ｃのそれぞれを区別しない場合、単に「反射板１０」と総称する。図１は、一実施形態に係るコーナーキューブ２０が、３つの反射板１０を含んで構成される前の状態を示している。
【００１５】
反射板１０は、図１に示すように、それぞれ頂点Ｐ１を直角とする直角三角形としてよい。反射板１０Ａは、Ｐ１，Ｐ２，及びＰ３を頂点とする直角三角形の形状にしてよい。反射板１０Ｂは、Ｐ１，Ｐ２，及びＰ４を頂点とする直角三角形の形状にしてよい。反射板１０Ｃは、Ｐ１，Ｐ３，及びＰ４を頂点とする直角三角形の形状にしてよい。反射板１０は、図１に示すような直角二等辺三角形の形状としてもよいし、二等辺三角形ではない直角三角形の形状としてもよい。図１においては、反射板１０において、頂点Ｐ１が直角であることを示すために、仮想的な直角記号を付してある。
【００１６】
反射板１０は、例えば７７ＧＨｚ〜８１ＧＨｚのような周波数の電磁波を反射する。このため、例えば反射板１０の全体を、電磁波を反射する素材で形成してもよい。また、反射板１０は、適度な硬度を有する材料（例えばレジンのような合成樹脂）で基材を構成し、その少なくとも片面に、電磁波を反射する素材を塗布などしてもよい。さらに、反射板１０は、その少なくとも一部を、電磁波を反射する素材で形成してもよい。ここで、電磁波を反射する素材とは、例えば金（Ａｕ）、銀（Ａｇ）、銅（Ｃｕ）、及びアルミニウム（Ａｌ）の少なくともいずれかを含む材料としてよい。電磁波を反射する素材とは、電磁波を良好に反射する任意の物質を含む材料としてよい。反射板１０の大きさ（サイズ）については後述する。
【００１７】
図１に示す３つの反射板１０は、点Ｐ１同士、点Ｐ２同士、点Ｐ３同士、及び点Ｐ４同士がそれぞれ組み合わされることにより、図２に示すような立体的なコーナーキューブ２０を形成する。
【００１８】
図２は、一実施形態に係る反射ユニットの基になるコーナーキューブ２０の構成を示す図である。
【００１９】
図２に示すように、コーナーキューブ２０は、点Ｐ１を頂点として、点Ｐ２，点Ｐ３，及び点Ｐ４による三角形を仮想的な底面と想定すると、三角錐の形状をしている。ただし、実際には、コーナーキューブ２０は、３つの反射板１０によって構成されているため、点Ｐ２，点Ｐ３，及び点Ｐ４による三角形の底面は実在する必要はない。図２においては、頂点Ｐ１の方が、点Ｐ２，点Ｐ３，及び点Ｐ４による三角形の仮想的な底面よりも奥側に位置する状態を示している。すなわち、図２においては、点Ｐ２，点Ｐ３，及び点Ｐ４による三角形の仮想的な底面の方が、頂点Ｐ１よりも手前側に位置する状態を示している。このように、コーナーキューブ２０は、電磁波を反射する直角三角形状の反射板１０が３つ（反射板１０Ａ，１０Ｂ，及び１０Ｃ）互いに直角に組み合わされたものとしてよい。
【００２０】
コーナーキューブ２０は、図２の手前側から奥側に入射する電磁波を、図２の奥側から手前側に向けて反射する。コーナーキューブ２０のような構造体は、一般的に、コーナーキューブ、コーナーリフレクタ、又はコーナーキューブ・リフレクタなどと呼ばれている。このような構造体は、リトロリフレクタ（再帰反射器又は再帰反射材）の一種として知られている。リトロリフレクタは、送信波が送信された方向の反対方向に反射波を反射することができる。より詳細には、リトロリフレクタは、入射した電磁波を、入射方向と平行で、かつ反対の方向へと反射する。このため、リトロリフレクタは、送信波の送信源から入射する電磁波のリトロリフレクタに対する入射角が０度でなくても、反射波を送信源に反射することができる。コーナーキューブそのものは、既に知られている技術を採用することができるため、より詳細な説明は省略する。
【００２１】
コーナーキューブ２０は、例えば７７ＧＨｚ〜８１ＧＨｚのような周波数の電磁波を反射するようなサイズとしてよい。具体的には、７７〜８１ＧＨｚの周波数の電磁波は、波長が４ｍｍ程度になる。したがって、コーナーキューブ２０は、このような波長が４ｍｍ程度の電磁波を反射することができるように、少なくとも一辺の長さが４ｍｍ程度よりも大きいものとしてよい。例えば、コーナーキューブ２０において、点Ｐ２から点Ｐ３までの長さ、点Ｐ３から点Ｐ４までの長さ、及び点Ｐ４から点Ｐ２までの長さの少なくともいずれかが、４ｍｍ程度よりも大きいものとしてよい。また、例えば、コーナーキューブ２０において、点Ｐ１から点Ｐ２までの長さ、点Ｐ１から点Ｐ３までの長さ、及び点Ｐ１から点Ｐ４までの長さの少なくともいずれかが、４ｍｍ程度よりも大きいものとしてよい。
【００２２】
コーナーキューブ２０の各辺の長さは、反射させたい電磁波の波長（又は周波数）に応じて、適宜変更してよい。また、コーナーキューブ２０を構成するそれぞれの反射板１０の各辺の長さは、構成されるコーナーキューブ２０の各辺の長さに基づいて適宜決定することができる。
【００２３】
図３は、一実施形態に係る反射ユニットの構成例を示す図である。
【００２４】
一実施形態において、図２に示したコーナーキューブ２０に基づいて、図３に示すような反射ユニット３０を形成してよい。例えば、図２に示すコーナーキューブ２０の各コーナー（角）を削り落すなど曲線状に形成することによって、図３に示す反射ユニット３０を形成してもよい。具体的には、図２に示すコーナーキューブ２０における尖端部Ｐ２，Ｐ３，及びＰ４をそれぞれ曲線的に形成することにより、図３に示す反射ユニット３０における尖端を有さない形状部分Ｐ’２，Ｐ’３，及びＰ’４としてよい。また、図２に示すコーナーキューブ２０における頂点Ｐ１の近傍（頂点部分とも記す）に開口を設けるなど曲線的に形成することより、図３に示す開口部１２としてよい。図３に示す反射ユニット３０は、図２に示したコーナーキューブ２０のコーナー（角）の全てを曲線状に形成した例を示した。しかしながら、一実施形態において、反射ユニット３０は、図２に示したコーナーキューブ２０のコーナー（角）の少なくとも１つを曲線状に形成してもよい。
【００２５】
このように、一実施形態において、反射ユニット３０は、コーナーキューブ２０に基づく形状にしてよい。すなわち、反射ユニット３０は、電磁波を反射する反射板１０によって構成されてよい。また、反射ユニット３０は、コーナーキューブ２０の頂点Ｐの近傍（頂点部分とも記す）の少なくとも１つが尖端を有さない形状にしてもよい。また、反射ユニット３０は、コーナーキューブ２０において３つの直角が互いに組み合わされた頂点Ｐ１の近傍が尖端を有さない形状にしてもよい。さらに、反射ユニット３０において、尖端を有さない形状部分は、曲線状に形成されるようにしてもよい。
【００２６】
図３に示す反射ユニット３０は、図２に示したコーナーキューブ２０においてＰ１，Ｐ２，Ｐ３，及びＰ４に対応する箇所には反射板１０が存在しない。このように、一実施形態に係る反射ユニット３０は、尖端を有さない形状部分（例えばＰ’２，Ｐ’３，Ｐ’４，及び／又は開口部１２）において、反射板１０が形成されないようにしてもよい。反射ユニット３０において反射板１０が部分的に存在しない箇所があっても、反射ユニット３０全体としては、十分に入射波（送信波）を反射することができる。
【００２７】
また、一実施形態に係る反射ユニット３０は、尖端を有さない形状部分を含むことで、当該形状部分が他の当接対象に当接することがあっても、当該他の当接対象に対する影響を軽減できる。特に、人間又は動物が着用又は携行する物品に反射ユニット３０を配置すると、開口部１２が形成された箇所が人間又は動物の皮膚などに（直接的又は間接的に）当接し得る。一実施形態に係る反射ユニット３０は、開口部１２が形成された箇所（コーナーキューブ２０の頂点Ｐ１に対応する箇所）に尖端を有さないため、当該人間又は動物に対する影響を軽減できる。
【００２８】
図４は、一実施形態に係る反射ユニット３０の他の構成例である反射ユニット３０Ａを示す図である。
【００２９】
図４に示す反射ユニット３０Ａは、図３に示した反射ユニット３０において、尖端を有さない形状部分Ｐ’２，Ｐ’３，及びＰ’４、並びに開口部１２のそれぞれに、弾性部材を形成したものである。具体的には、一実施形態に係る反射ユニット３０Ａにおいて、図３に示した反射ユニット３０の開口部１２が形成された箇所に、図４に示すような弾性部材１４を配してよい。また、図４に示すように、一実施形態に係る反射ユニット３０Ａにおいて、尖端を有さない形状部分Ｐ’２，Ｐ’３，及びＰ’４に、それぞれ弾性部材１６を配してもよい。弾性部材１４及び１６は、例えば天然ゴム、シリコン、又はウレタンなど、適度な弾性を有する任意の素材とすることができる。図４は、反射ユニット３０Ａにおいて尖端を有さない形状部分Ｐ’２，Ｐ’３，及びＰ’４、並びに開口部１２の全てに弾性部材（１４，１６）を形成した例を示している。しかしながら、一実施形態において、反射ユニット３０Ａは、図４に示す弾性部材１４及び１６のうち少なくとも１つを有してもよい。
【００３０】
図４に示す反射ユニット３０Ａは、図２に示したコーナーキューブ２０においてＰ１，Ｐ２，Ｐ３，及びＰ４に対応する箇所に弾性部材（１４，１６）を配してある。このように、一実施形態において、反射ユニット３０Ａは、尖端を有さない形状部分において、弾性部材（１４，１６）が配されるようにしてもよい。反射ユニット３０Ａにおいて部分的に弾性部材（１４，１６）が配される箇所があっても、反射ユニット３０Ａ全体としては、十分に入射波（送信波）を反射することができる。
【００３１】
また、一実施形態に係る反射ユニット３０Ａは、尖端を有さない形状部分を含むことで、当該形状部分が他の当接対象に当接することがあっても、当該他の当接対象に対する影響を軽減できる。尖端を有さない形状部分に弾性部材を含むことで、当該部分が人間又は動物の皮膚などに当接することがあっても、当該人間又は動物に対する影響を軽減できる。特に、人間又は動物が着用又は携行する物品に反射ユニット３０を配置すると、弾性部材１４が形成された箇所が人間又は動物の皮膚などに（直接的又は間接的に）当接し得る。一実施形態に係る反射ユニット３０Ａは、開口部１２が形成された箇所（コーナーキューブ２０の頂点Ｐ１に対応する箇所）に弾性部材１４を有するため、当接対象に対する影響を軽減できる。
【００３２】
図５は、一実施形態に係る反射ユニット３０の他の構成例である反射ユニット３０Ｂを示す図である。
【００３３】
一実施形態において、図２に示すコーナーキューブ２０における頂点Ｐ１の近傍に対応する部分を曲面的に形成することより、図５に示す反射ユニット３０Ｂの曲面部１８としてもよい。図５に示す反射ユニット３０Ｂは、図３に示した反射ユニット３０において開口部１２を形成する代わりに、開口部１２の位置の反射板１０を曲面状に加工した曲面部１８を備えている。また、図５に示す反射ユニット３０Ｂは、図３に示した反射ユニット３０と同様に、尖端を有さない形状部分Ｐ’２，Ｐ’３，及びＰ’４を形成してある。しかしながら、一実施形態において、反射ユニット３０Ｂは、尖端を有さない形状部分Ｐ’２，Ｐ’３，及びＰ’４の少なくともいずれかを、図２に示したコーナーキューブ２０における尖端部Ｐ２，Ｐ３，又はＰ４のように、尖端を有するようにしてもよい。また、また、図５に示す反射ユニット３０Ｂは、図４に示した反射ユニット３０Ａと同様に、尖端を有さない形状部分Ｐ’２，Ｐ’３，及びＰ’４の少なくともいずれかに、弾性部材１６を備えてもよい。
【００３４】
このように、一実施形態に係る反射ユニット３０Ｂにおいて、尖端を有さない形状部分は、曲面部１８のように曲面状に形成されるようにしてもよい。図５に示す反射ユニット３０Ｂは、曲面部１８が形成された箇所においては、入射した電磁波を、入射方向と平行で、かつ反対の方向へと反射しないこともある。しかしながら、反射ユニット３０Ｂは、全体として、十分に入射波（送信波）を反射することができる。
【００３５】
また、一実施形態に係る反射ユニット３０Ｂは、尖端を有さない形状部分を含むことで、当該形状部分が他の当接対象に当接することがあっても、当該他の当接対象に対する影響を軽減できる。また、一実施形態に係る反射ユニット３０は、尖端を有さない形状部分に曲面部１８を備えることで、当該部分が人間又は動物の皮膚などに当接することがあっても、当該人間又は動物に対する影響を軽減できる。特に、人間又は動物が着用又は携行する物品に反射ユニット３０を配置すると、曲面部１８が形成された箇所の裏側が人間又は動物の皮膚などに（直接的又は間接的に）当接し得る。したがって、一実施形態に係る反射ユニット３０Ｂは、曲面部１８が形成された箇所の裏側も曲面状に形成することで、当該他の当接対象に対する影響を軽減できる。
【００３６】
図３に示した反射ユニット３０及び図４に示した反射ユニット３０Ａは、図１に示したような平面状の３つの反射板１０を３つ互いに直角に組み合わせることによって構成することができる。一方、図５に示した反射ユニット３０Ｂは、曲面部１８を有する。このため、図１に示したような平面状の３つの反射板１０を組み合わせたとしても、図５に示した反射ユニット３０Ｂの曲面部１８を形成することはできない。したがって、図５に示した反射ユニット３０Ｂを形成する際に、例えば図２のように形成したコーナーキューブ２０において、頂点Ｐ１周辺の部分を打ち出し板金加工するなどして、曲面状に形成してもよい。また、図５に示した反射ユニット３０Ｂを形成する際に、例えば図１に示すような反射板１０の頂点Ｐ１周辺の部分をそれぞれ湾曲させて、曲面状に形成してもよい。さらに、図５に示した反射ユニット３０Ｂを形成する際に、例えば図２に示したコーナーキューブ２０又は図１に示した反射板１０から形成するのではなく、曲面部１８を有する反射ユニット３０Ｂとして一体成型してもよい。
【００３７】
図３から図５に示したような反射ユニット３０、反射ユニット３０Ａ、及び反射ユニット３０Ｂは、例えば７７ＧＨｚ〜８１ＧＨｚのような周波数の電磁波を反射するようなサイズとしてよい。上述のように、７７〜８１ＧＨｚの周波数の電磁波は、波長が４ｍｍ程度になる。したがって、反射ユニット３０、反射ユニット３０Ａ、及び反射ユニット３０Ｂは、このような波長が４ｍｍ程度の電磁波を反射することができるように、少なくとも一辺の長さが４ｍｍ程度よりも大きいものとしてよい。例えば、反射ユニット３０、反射ユニット３０Ａ、及び反射ユニット３０Ｂにおいて、点Ｐ’２から点Ｐ’３までの長さ、点Ｐ’３から点Ｐ’４までの長さ、及び点Ｐ’４から点Ｐ’２までの長さの少なくともいずれかが、４ｍｍ程度よりも大きいものとしてよい。また、例えば反射ユニット３０、反射ユニット３０Ａ、及び反射ユニット３０Ｂにおいて、点Ｐ’２から開口部１２までの長さ、点Ｐ’３から開口部１２までの長さ、及び点Ｐ’４から開口部１２までの長さの少なくともいずれかが、４ｍｍ程度よりも大きいものとしてよい。
【００３８】
次に、一実施形態に係るリフレクタについて説明する。
【００３９】
一実施形態に係るリフレクタ１は、上述した反射ユニット３０、反射ユニット３０Ａ、及び反射ユニット３０Ｂの少なくともいずれかを、少なくとも１つ配置して構成することができる。一実施形態に係るリフレクタ１において、反射ユニット３０、反射ユニット３０Ａ、及び反射ユニット３０Ｂの少なくともいずれかは、１つのみ配置されてもよいし、複数配置されてもよい。また、リフレクタ１は、人間又は動物が着用又は携行する物品に備えられてよい。以下、リフレクタ１が人間又は動物が着用又は携行する物品に備えられる具体例について説明する。
【００４０】
図６は、人間が着用する衣類１００に、リフレクタ１を取り付けた例を示している。図６に示す衣類１００は、より具体的には、ジャケット又はレインウェア（レインコート）のような上着としてよい。図６に示すように、衣類１００に備えられたリフレクタ１において、反射ユニット３０、反射ユニット３０Ａ、及び反射ユニット３０Ｂの少なくともいずれかが、少なくとも１つ配置されている。ここで、反射ユニット３０、反射ユニット３０Ａ、及び反射ユニット３０Ｂの少なくともいずれかは、１つ以上の任意の数としてよい。また、衣類１００においてリフレクタ１が取り付けられる位置は、図６に示す位置に限定されず、例えば安全性を考慮するなどして、種々の位置に取り付けてよい。図６に示す衣類１００は人間が着用することを想定しているが、例えば犬などのペット（動物）が着用する衣類に反射ユニット３０、反射ユニット３０Ａ、及び反射ユニット３０Ｂの少なくともいずれかを、少なくとも１つ配置してもよい。
【００４１】
図７は、人間が着用する帽子１１０に、リフレクタ１を取り付けた例を示している。図７に示すように、帽子１１０に備えられたリフレクタ１において、１つ以上の反射ユニット３０、反射ユニット３０Ａ、及び反射ユニット３０Ｂの少なくともいずれかが、少なくとも１つ配置されている。ここで、反射ユニット３０、反射ユニット３０Ａ、及び反射ユニット３０Ｂの少なくともいずれかは、１つ以上の任意の数としてよい。図７に示す帽子１１０は、キャップタイプの帽子としてあるが、例えばハットタイプの帽子としてもよい。また、帽子１１０においてリフレクタ１が取り付けられる位置は、図７に示す位置に限定されず、例えば安全性を考慮するなどして、種々の位置に取り付けてよい。図７に示す帽子１１０は人間が着用することを想定しているが、例えば犬などのペット（動物）が着用する帽子に、反射ユニット３０、反射ユニット３０Ａ、及び反射ユニット３０Ｂの少なくともいずれかを、少なくとも１つ配置してもよい。
【００４２】
図８は、人間が着用する履物１２０に、リフレクタ１を取り付けた例を示している。図８に示すように、履物１２０に備えられたリフレクタ１において、反射ユニット３０、反射ユニット３０Ａ、及び反射ユニット３０Ｂの少なくともいずれかが、少なくとも１つ配置されている。ここで、反射ユニット３０、反射ユニット３０Ａ、及び反射ユニット３０Ｂの少なくともいずれかは、１つ以上の任意の数としてよい。また、履物１２０においてリフレクタ１が取り付けられる位置は、図８に示す位置に限定されず、例えば安全性を考慮するなどして、種々の位置に取り付けてよい。図８に示す履物１２０は、ブーツ（長靴／レインブーツ）タイプの履物としてあるが、例えばスニーカー、サンダル、又はローファーのような各種の履物としてもよい。図８に示す履物１２０は人間が着用することを想定しているが、例えば犬などのペット（動物）が着用する履物に、反射ユニット３０、反射ユニット３０Ａ、及び反射ユニット３０Ｂの少なくともいずれかを、少なくとも１つ配置してもよい。
【００４３】
以上、一実施形態に係るリフレクタ１が、人間又は動物が着用する物品に備えられる具体例について説明した。しかしながら、一実施形態に係るリフレクタ１が備えられる物品は、上述したものに限定されない。例えば、一実施形態に係るリフレクタ１は、人間又は動物が着用するアクセサリ、リストバンド、時計、手袋、ソックス、マフラー、スカーフ、ベルト、サスペンダー、バッジ、名札、及びステッカーなどの少なくともいずれかに備えられてもよい。この場合、一実施形態に係るリフレクタ１は、上述した物品における種々の位置に備えられてよい。
【００４４】
図９は、人間が携行する傘１３０に、リフレクタ１を取り付けた例を示している。図９に示す傘１３０は、例えば日傘又はパラソルなどとしてもよい。図９に示すように、傘１３０に備えられたリフレクタ１において、反射ユニット３０、反射ユニット３０Ａ、及び反射ユニット３０Ｂの少なくともいずれかが、少なくとも１つ配置されている。ここで、反射ユニット３０、反射ユニット３０Ａ、反射ユニット３０Ｂの少なくともいずれかは、１つ以上の任意の数としてよい。また、傘１３０においてリフレクタ１が取り付けられる位置は、図９に示す位置に限定されず、例えば安全性を考慮するなどして、種々の位置に取り付けてよい。例えば、図９に示す傘１３０の持ち手部分及びシャフト部分の少なくとも一方にリフレクタ１を取り付けてもよい。
【００４５】
図１０は、人間が携行するランドセル１４０に、リフレクタ１を取り付けた例を示している。図１０に示すランドセル１４０は、例えばバックパック又はリュックサックなどとしてもよい。図１０に示すように、ランドセル１４０に備えられたリフレクタ１において、反射ユニット３０、反射ユニット３０Ａ、及び反射ユニット３０Ｂの少なくともいずれかが、少なくとも１つ配置されている。ここで、反射ユニット３０、反射ユニット３０Ａ、及び反射ユニット３０Ｂは、１つ以上の任意の数としてよい。また、ランドセル１４０においてリフレクタ１が取り付けられる位置は、図１０に示す位置に限定されず、例えば安全性を考慮するなどして、種々の位置に取り付けてよい。例えば、図１０に示すランドセル１４０の背面のみならず側面にもリフレクタ１を取り付けてもよい。
【００４６】
図１１は、人間が携行するバッグ（カバン）１５０に、リフレクタ１を取り付けた例を示している。図１１に示すバッグ１５０は、例えばハンドバッグ、ショルダーバッグ、トートバッグ、又はボストンバッグなどとしてもよい。図１１に示すように、バッグ１５０に備えられたリフレクタ１において、反射ユニット３０、反射ユニット３０Ａ、及び反射ユニット３０Ｂの少なくともいずれかが、少なくとも１つ配置されている。ここで、反射ユニット３０、反射ユニット３０Ａ、及び反射ユニット３０Ｂは、１つ以上の任意の数としてよい。また、バッグ１５０においてリフレクタ１が取り付けられる位置は、図１１に示す位置に限定されず、例えば安全性を考慮するなどして、種々の位置に取り付けてよい。
【００４７】
以上、一実施形態に係るリフレクタ１が、人間が携行する物品に備えられる具体例について説明した。しかしながら、一実施形態に係るリフレクタ１が備えられる物品は、上述したものに限定されない。例えば、一実施形態に係るリフレクタ１は、人間が携行するウェアラブルデバイス、携帯電話、スマートフォン、タブレット端末、携帯ゲーム端末、音楽プレーヤ、ＩＣレコーダ、及びベビーカーなどの少なくともいずれかに備えられてもよい。この場合、一実施形態に係るリフレクタ１は、上述した物品における種々の位置に備えられてよい。
【００４８】
以上説明したように、一実施形態に係るリフレクタ１は、入射した電磁波を、入射方向と平行で、かつ反対の方向へと反射する。このため、リフレクタ１を取り付けた物品を人間又は動物が着用又は携行することにより、当該人間又は動物は、例えば車載レーダなどを搭載した自動車などから容易に検出される。したがって、例えば自動車のようにレーダを装備して検出する立場にとっては、事故防止等の観点から大きな利益を期待できる。また、例えば歩行者のようにレーダによって検出される立場にとっても、安全性等の観点から大きな利益を期待できる。さらに、一実施形態に係るリフレクタ１は、例えばコーナーキューブのような尖端を有さない形状にすることができる。したがって、リフレクタ１を取り付けた物品を人間又は動物が着用又は携行したとしても、当該人間又は動物に対する影響を軽減することができる。
【００４９】
次に、他の実施形態に係るリフレクタ１について説明する。
【００５０】
上述した実施形態において、リフレクタ１は、入射した電磁波を反射する機能を有するものを想定して説明した。以下説明する実施形態に係るリフレクタ１は、電磁波が入射すると、入射した電磁波を反射するのみならず、入射した電磁波に応じて所定の警告などを報知する機能も有する。
【００５１】
図１２は、一実施形態に係るリフレクタ１の構成を概略的に示す機能ブロック図である。
【００５２】
図１２に示すように、リフレクタ１は、反射板１０と、制御部４０と、報知部５０とを備えてよい。
【００５３】
反射板１０は、リフレクタ１に配置される上述した反射ユニット３０、反射ユニット３０Ａ、及び反射ユニット３０Ｂのうち少なくともいずれかを構成するものとしてよい。反射板１０について、上述した説明と同じになる内容は省略する。図１２に示すように、反射板１０は、制御部４０に接続されてよい。また、図１２に示す反射板１０は、電磁波の入射を検出すると、検出信号を出力してよい。反射板１０から出力される検出信号は、制御部４０に供給される。図１２に示すリフレクタ１は、反射板１０から出力される検出信号を増幅する増幅器、及び／又は、所定の周波数の検出信号のみを通過させる帯域通過フィルタなどを適宜備えてもよい。
【００５４】
制御部４０は、種々の機能を実行するための制御及び処理能力を提供するために、例えばＣＰＵ(Central Processing Unit)のような、少なくとも１つのプロセッサを含んでよい。制御部４０は、まとめて１つのプロセッサで実現してもよいし、いくつかのプロセッサで実現してもよいし、それぞれ個別のプロセッサで実現してもよい。プロセッサは、単一の集積回路として実現されてよい。集積回路は、ＩＣ（Integrated Circuit）ともいう。プロセッサは、複数の通信可能に接続された集積回路及びディスクリート回路として実現されてよい。プロセッサは、他の種々の既知の技術に基づいて実現されてよい。一実施形態において、制御部４０は、例えばＣＰＵ及び当該ＣＰＵで実行されるプログラムとして構成してよい。制御部４０は、制御部４０の動作に必要なメモリのような記憶部を適宜含んでもよい。この記憶部は、制御部４０において実行されるプログラム、及び、制御部４０において実行された処理の結果などを記憶してよい。また、この記憶部は、制御部４０のワークメモリとして機能してよい。一実施形態に係る制御部４０の動作は、さらに後述する。
【００５５】
報知部５０は、リフレクタ１が電磁波を検出した結果などを、リフレクタ１のユーザなどに報知する。報知部５０は、ユーザに報知する情報に応じて、種々の構成を想定することができる。例えば、リフレクタ１が電磁波を検出した結果などを、文字及び／又は画像などの視覚的な情報によって報知する場合、報知部５０は、液晶ディスプレイ（ＬＣＤ）、有機ＥＬディスプレイ、又は無機ＥＬディスプレイ等のような表示デバイスとしてよい。また、例えば、リフレクタ１が電磁波を検出した結果などを、より簡潔な視覚情報によって報知する場合、報知部５０は、発光ダイオード（ＬＥＤ）等のような発光デバイスとしてよい。また、例えば、リフレクタ１が電磁波を検出した結果などを、音又は音声などの聴覚的な情報によって報知する場合、報知部５０は、任意のスピーカ又はブザーなどとしてよい。報知部５０は、上述したような機能部を少なくとも１つ含んで構成してよい。また、例えば、リフレクタ１が電磁波を検出した結果などを、触覚的な情報（触感）によって報知する場合、報知部５０は、任意のバイブレータ又は圧電素子などとしてよい。報知部５０は、上述したような機能部を少なくとも１つ含んで構成してよい。
【００５６】
一実施形態において、報知部５０は、リフレクタ１の反射板１０が例えばミリ波のような所定の電磁波を検出したら、その旨を文字及び／又は画像などによって、リフレクタ１を取り付けた物品のユーザに報知してもよい。また、一実施形態において、報知部５０は、リフレクタ１の反射板１０が例えばミリ波のような所定の電磁波を検出したら、所定の警告灯を点灯させるのみでもよい。また、一実施形態において、報知部５０は、リフレクタ１の反射板１０が例えばミリ波のような所定の電磁波を検出したら、所定の警告音及び／又は音声ガイドなどを、リフレクタ１を取り付けた物品のユーザに報知してもよい。さらに、一実施形態において、報知部５０は、リフレクタ１の反射板１０が例えばミリ波のような所定の電磁波を検出したら、所定の振動又は所定の触感の呈示によって、リフレクタ１を取り付けた物品のユーザに報知してもよい。
【００５７】
一実施形態に係るリフレクタ１は、最小の構成としては、図１２に示す反射板１０を備える反射ユニット３０のみを備えるものとしてよい。この場合、反射ユニット３０を構成する反射板１０は、外部の制御部４０及び報知部５０に接続されるようにしてよい。このように、一実施形態に係るリフレクタ１は、制御部４０に接続されてもよい。一方、一実施形態に係るリフレクタ１は、図１２に示す制御部４０及び／又は報知部５０を適宜含んで構成してもよい。例えば、一実施形態に係るリフレクタ１は、図１２に示す反射板１０及び制御部４０を含んで構成してもよい。この場合、リフレクタ１は、外部の報知部５０に接続されるようにしてよい。また、例えば、一実施形態に係るリフレクタ１は、図１２に示す反射板１０及び報知部５０を含んで構成してもよい。この場合、リフレクタ１は、外部の制御部４０に接続されるようにしてよい。
【００５８】
次に、一実施形態に係るリフレクタ１における制御部４０の動作について説明する。以下、一実施形態に係るリフレクタ１が、例えば車載レーダなどから送信される送信波（電磁波）を受信する場合について説明する。
【００５９】
図１３は、一実施形態に係るリフレクタ１の動作を説明するフローチャートである。
【００６０】
図１３に示す動作が開始すると、制御部４０は、反射ユニット３０の反射板１０が電磁波を受信したか否かを判定する（ステップＳ１）。例えば、ステップＳ１において、制御部４０は、反射ユニット３０の反射板１０から電磁波の検出信号が出力されたか否かを判定してもよい。
【００６１】
ステップＳ１において電磁波が受信されない場合、制御部４０は、図１３に示す処理を終了させて、再び図１３に示す処理を開始してもよい。
【００６２】
一方、ステップＳ１において電磁波が受信されたら、制御部４０は、受信した電磁波に所定の処理を施す（ステップＳ２）。例えば、ステップＳ２において、制御部４０は、ステップＳ１において受信した電磁波を増幅したり、所定の帯域のみを通過させるフィルタ処理を施したりしてもよい。
【００６３】
ステップＳ２において電磁波に所定の処理が施されたら、制御部４０は、所定の処理が施された電磁波が、所定の電磁波であるか否かを判定する（ステップＳ３）。例えば、ステップＳ３において、制御部４０は、所定の処理が施された電磁波が、例えばミリ波のような所定の周波数の電磁波であるか否かを判定してもよい。例えば、ステップＳ３において、制御部４０は、ステップＳ１において受信（そしてステップＳ２において処理）した電磁波に、ミリ波のような所定の周波数のものが含まれるか否かを判定してもよい。また、例えば、ステップＳ２において、制御部４０は、ステップＳ１において受信した電磁波に、ミリ波のような周波数のうち、さらに所定の周波数（又は帯域幅）のものが含まれるか否かを判定してもよい。
【００６４】
例えば、自動車に搭載された車載レーダから送信される電磁波の周波数が特定できる場合、ステップＳ３において、制御部４０は、受信した電磁波が当該周波数の電磁波であるか否かを判定してもよい。
【００６５】
ステップＳ３において所定の電磁波でないと判定された場合、制御部４０は、図１３に示す処理を終了させて、再び図１３に示す処理を開始してもよい。
【００６６】
一方、ステップＳ３において所定の電磁波であると判定された場合、制御部４０は、例えば警告などを発するための所定の信号を出力する（ステップＳ４）。ステップＳ４において、制御部４０は、例えば報知部５０から所定の警告を報知するための所定の信号を出力してよい。この時、制御部４０が出力する所定の信号は、例えば、予め制御部４０の記憶部に記憶しておいてよい。
【００６７】
このように、一実施形態に係るリフレクタ１において、制御部４０は、反射板１０によって受信された電磁波が所定の電磁波である場合に、例えば報知部５０から所定の警告を報知するための所定の信号を出力する。したがって、リフレクタ１を取り付けた物品を着用又は携行しているユーザは、自らの周囲に例えば自動車のような車両が存在するとともに、当該車両に搭載された車載レーダの送信波が届いていることを認識することができる。これにより、リフレクタ１を取り付けた物品を着用又は携行しているユーザは、当該車両が接近する相当前の段階で、自ら意識して注意するなどの安全策を講じることができる。したがって、一実施形態に係るリフレクタ１によれば、安全性等の観点からさらなる利益を期待できる。
【００６８】
さらに、車載レーダが搭載された車両において、リフレクタ１からの反射波が受信されたら、当該車載レーダは、所定の警告及び／又は所定の制御などを行ってもよい。例えば、当該車載レーダは、リフレクタ１からの反射波を受信したら、当該車両の運転者に注意を促すために、所定の視覚的、聴覚的、及び／又は触覚的な情報を出力してもよい。また、例えば、当該車載レーダは、リフレクタ１からの反射波を受信したら、当該反射波に基づいて、当該車両の自動運転を制御したり、当該車両の運転者の運転をアシストするように制御したりしてもよい。
【００６９】
また、本開示のリフレクタは、人や動物が着用又は携行する物品に備えられるとしたが、このような場合に限定されない。本開示のリフレクタは、人や動物が着用又は携行する物品以外の物品に備えられるとしてもよい。このような人や動物が着用又は携行する物品以外の物品は、例えば、ガードレール、壁、柵、標識、道路、地面、橋、車、トラック、タクシー、バス、飛行機、船、バイク、自転車、建物、カラーコーン（登録商標）、電信柱、信号機、地図、行き先案内板、広告板、広告パネル、縁石、高速道路の料金所、路面標識その他の適宜なものとしてよい。
【００７０】
本開示を諸図面及び実施例に基づき説明してきたが、当業者であれば本開示に基づき種々の変形又は修正を行うことが容易であることに注意されたい。したがって、これらの変形又は修正は本開示の範囲に含まれることに留意されたい。例えば、各機能部に含まれる機能などは論理的に矛盾しないように再配置可能である。複数の機能部等は、１つに組み合わせられたり、分割されたりしてよい。上述した本開示に係る各実施形態は、それぞれ説明した各実施形態に忠実に実施することに限定されるものではなく、適宜、各特徴を組み合わせたり、一部を省略したりして実施され得る。つまり、本開示の内容は、当業者であれば本開示に基づき種々の変形および修正を行うことができる。したがって、これらの変形および修正は本開示の範囲に含まれる。例えば、各実施形態において、各機能部、各手段、各ステップなどは論理的に矛盾しないように他の実施形態に追加し、若しくは、他の実施形態の各機能部、各手段、各ステップなどと置き換えることが可能である。また、各実施形態において、複数の各機能部、各手段、各ステップなどを１つに組み合わせたり、或いは分割したりすることが可能である。また、上述した本開示の各実施形態は、それぞれ説明した各実施形態に忠実に実施することに限定されるものではなく、適宜、各特徴を組み合わせたり、一部を省略したりして実施することもできる。
【符号の説明】
【００７１】
１  リフレクタ
１０  反射板
１２  開口部
１４，１６  弾性部材
１８曲面部
２０  コーナーキューブ
３０  反射ユニット
４０  制御部
５０  報知部
１００  衣類（レインコート／ジャケット）
１１０  帽子（キャップ）
１２０  履物（長靴／ブーツ）
１３０  傘／日傘
１４０  ランドセル／バックパック
１５０  バッグ／カバン
【図１】
2020022122.tif 000003
【図２】
2020022122.tif 000004
【図３】
2020022122.tif 000005
【図４】
2020022122.tif 000006
【図５】
2020022122.tif 000007
【図６】
2020022122.tif 000008
【図７】
2020022122.tif 000009
【図８】
2020022122.tif 000010
【図９】
2020022122.tif 000011
【図１０】
2020022122.tif 000012
【図１１】
2020022122.tif 000013
【図１２】
2020022122.tif 000014
【図１３】
2020022122.tif 000015